(57)【要約】  表示パネルに関する情報を表示パネル側に記録し、その記録された情報を出力可能な、比較的簡単な構造の表示装置を提供すること、比較的大きな情報量を記憶することができる表示装置を提供することなど。  表示装置１は、互いに交差する複数の走査線Ｋと複数のデータ線Ａの交点に形成された複数の発光素子３０を備える表示領域２１０と、データ線Ａと情報出力線Ｂ１との間に形成され、データ線Ａと情報出力線Ｂ１とを導通状態または非導通状態に設定可能な情報記録部２４とを有し、基板１０上に表示領域２１０、情報記録部２４、および情報出力線Ｂ１が形成されている。
2009019776.tif 000002
【特許請求の範囲】
【請求項１】
互いに交差する複数の走査線と複数のデータ線の交点に形成された複数の発光素子を備える表示領域と、
前記データ線と情報出力線との間に形成され、前記データ線と前記情報出力線とを導通状態または非導通状態に設定可能な情報記録部とを有し、
基板上に前記表示領域、前記情報記録部、および前記情報出力線が形成されていることを特徴とする表示装置。
【請求項２】
前記情報記録部は、前記データ線と前記情報出力線との間の導電性の配線パターンが切断されていることにより前記非導通状態に設定されていることを特徴とする請求項１に記載の表示装置。
【請求項３】
前記情報記録部は、前記情報出力線と前記データ線との間に整流素子が備えられていることを特徴とする請求項１または請求項２に記載の表示装置。
【請求項４】
前記整流素子は、表示に寄与しない発光素子であることを特徴とする請求項３に記載の表示装置。
【請求項５】
前記整流素子は、前記導通状態に設定されている前記データ線と前記情報出力線との間にのみ形成されていることを特徴とする請求項１に記載の表示装置。
【請求項６】
複数の前記データ線に駆動信号を供給する駆動電源を備えるドライバ回路と、
複数の前記データ線に供給される前記駆動信号のタイミングと同期して、前記情報記録部および前記情報出力線を介して出力される信号のレベルを検出する情報読取部と
を有することを特徴とする請求項１に記載の表示装置。
【請求項７】
表示装置の情報処理方法であって、
前記表示装置は、互いに交差する複数の走査線と複数のデータ線の交点に形成された複数の発光素子を備える表示領域と、前記データ線と情報出力線との間に形成され、前記データ線と前記情報出力線とを導通状態または非導通状態に設定可能な情報記録部とを有し、基板上に前記表示領域、前記情報記録部、および前記情報出力線が形成されており、
複数の前記データ線に駆動信号を供給する第１のステップと、
複数の前記データ線に供給される前記駆動信号のタイミングと同期して、前記情報記録部および前記情報出力線を介して出力される信号のレベルを検出し、当該検出した結果に基づいて前記情報記録部に記録された情報を特定する第２のステップと
を有することを特徴とする表示装置の情報処理方法。
【発明の詳細な説明】
【技術分野】
【０００１】
本発明は、表示装置、および表示装置の情報処理方法に関する。
【背景技術】
【０００２】
一般的に、有機ＥＬ（organic electroluminescence）表示パネル、液晶表示パネル、プラズマ発光表示パネル、等の表示装置の製造工程において、製品を管理するために識別ラベルを表示パネルそれぞれに貼り付け、その識別ラベルを読み取り、識別ラベルの識別情報を収集して、製品の管理を行う技術が知られている。【０００３】
また、平面表示装置の基板上に、識別情報が記録されたＲＦ−ＩＤ（Radio Frequency −Identification）回路を形成し、リーダライター間の無線通信により、識別情報を読み取り、識別情報を収集して、製品の管理を行う技術が知られている（例えば、特許文献１参照）。【０００４】
また、電気光学装置の表示パネルに、ダミー配線を形成し、そのダミー配線間の導通の有無により表示パネルの種類を判別する技術が知られている（例えば、特許文献２参照）。
【特許文献１】特開２００５−９２１０６号公報
【特許文献２】特開２００７−７２２４４号公報
【発明の開示】
【発明が解決しようとする課題】
【０００５】
しかし、例えば、特許文献１に記載された平面表示装置では、比較的複雑な構造のＲＦ−ＩＤ回路を基板上に形成するための工程を要し、一般的な表示装置と比較して製造コストが増大するという問題がある。
また、例えば、特許文献２に記載された電気光学装置の製造方法は、表示パネルの種類などを判別するための技術であり、ダミー配線間の導通関係により記録可能な情報量は数ビット程度であり比較的小さい。
しかし、例えば、有機ＥＬパネルの有機ＥＬ素子の発光色毎の輝度情報、輝度補正値、生産ロット、等の比較的大きな情報量の情報を、上記特許文献２に記載された技術を用いて表示パネル側に記録するためには、比較的多数のダミー配線を形成することを要する。また、表示パネルの基板上に、多数の配線パターンを形成するために比較的大きな形成領域を要する。【０００６】
本発明は、このような問題に対処することを課題の一例とするものである。すなわち、例えば、基板上にＲＦ−ＩＤ回路等の特別な回路を設けることなく、表示パネルに関する情報を表示パネル側に記録し、その記録された情報を出力可能な、比較的簡単な構造の表示装置を提供すること、比較的低い製造コストの表示装置を提供すること、基板上の比較的小さな領域に、比較的大きな情報量を記憶することができる表示装置を提供すること、等が本発明の目的である。
【課題を解決するための手段】
【０００７】
このような目的を達成するために、本発明は、以下の各独立請求項に係る構成を少なくとも具備するものである。
本発明の第１の観点に係る表示装置は、例えば、互いに交差する複数の走査線と複数のデータ線の交点に形成された複数の発光素子を備える表示領域と、前記データ線と情報出力線との間に形成され、前記データ線と前記情報出力線とを導通状態または非導通状態に設定可能な情報記録部とを有し、基板上に前記表示領域、前記情報記録部、および前記情報出力線が形成されていることを特徴とする。【０００８】
また、本発明の第２の観点に係る表示装置の情報処理方法は、前記表示装置が、互いに交差する複数の走査線と複数のデータ線の交点に形成された複数の発光素子を備える表示領域と、前記データ線と情報出力線との間に形成され、前記データ線と前記情報出力線とを導通状態または非導通状態に設定可能な情報記録部とを有し、基板上に前記表示領域、前記情報記録部、および前記情報出力線が形成されており、複数の前記データ線に駆動信号を供給する第１のステップと、複数の前記データ線に供給される前記駆動信号のタイミングと同期して、前記情報記録部および前記情報出力線を介して出力される信号のレベルを検出し、当該検出した結果に基づいて前記情報記録部に記録された情報を特定する第２のステップとを有することを特徴とする。
【図面の簡単な説明】
【０００９】
【図１】本発明の第１実施形態に係る表示装置を説明するための回路図である。
【図２】図１に示した表示装置の全体図である。
【図３】図２に示した表示装置の表示領域２１０および情報記録部２４付近の領域ＲＢの拡大図である。
【図４】図２に示した表示装置の表示領域および引出配線部１２１付近のＸ−Ｘ線断面図である。
【図５】図２に示した表示装置の表示領域および情報記録部２４付近の領域ＲＢのＹ−Ｙ線断面図であり、（Ａ）は導通状態の情報記録部２４１を説明するための断面図であり、（Ｂ）は非導通状態の情報記録部２４１を説明するための断面図である。
【図６】本発明の他の実施形態に係る表示装置の表示領域２０および情報記録部２４付近の領域ＲＢの拡大図である。
【図７】マスクを用いて非導通状態の情報記録部を形成する工程を説明するための図であり、（Ａ）はマスクを用いた蒸着法により配線パターンおよび発光素子３０を形成する前の状態を説明するための断面図であり、（Ｂ）はマスクを用いた蒸着法により配線パターンおよび発光素子３０が形成された状態を説明するための断面図である。
【図８】図１に示した表示装置の製造方法を説明するためのフローチャートである。
【図９】図１に示した表示装置の情報読取部に記録されている情報を出力する方法を説明するためのフローチャートである。
【図１０】図１に示した表示装置の情報記録部に記録されている情報を出力する方法を説明するためのタイミングチャートであり、（Ａ）は走査線Ｋ１〜ＫＮの電位を示す図であり、（Ｂ）はデータ線Ａ１の電位を示す図であり、（Ｃ）はデータ線Ａ２の電位を示す図であり、（Ｄ）はデータ線Ａ３の電位を示す図であり、（Ｅ）はデータ線ＡＭの電位を示す図であり、（Ｆ）は情報記録部に記録されている情報を模式的に示す図であり、（Ｇ）は情報出力線Ｂ１の電位を示す図である。
【図１１】本発明の第２実施形態に係る表示装置１Ａを説明するための回路図である。
【図１２】本発明の第３実施形態に係る表示装置１Ｂを説明するための回路図である。
【図１３】本発明の第３実施形態に係る表示装置１Ｂの表示領域２０および情報記録部２４付近の領域ＲＢの拡大図である。
【発明を実施するための最良の形態】
【００１０】
本発明に係る表示装置は、互いに交差する複数の走査線と複数のデータ線の交点に形成された複数の発光素子を備える表示領域と、データ線と情報出力線との間に形成され、データ線と情報出力線とを導通状態または非導通状態に設定可能な情報記録部とを有し、基板上に表示領域、情報記録部、および情報出力線が形成されていることを特徴とする。
好適には、情報記録部は、データ線と情報出力線との間の導電性の配線パターンが切断されていることにより非導通状態に設定されることを特徴とする。【００１１】
上記構成の表示装置では、基板上に、表示領域に形成されたデータ線を介して、データ線と情報出力線との間に形成され、データ線と情報出力線とを導通状態または非導通状態に設定可能な情報記録部、表示領域、および情報出力線が形成されているので、基板上に特別な回路を設けることなく、例えば比較的簡単な構成により、表示パネルに関する情報を表示パネル側に記録し、その記録された情報を情報出力線から出力することができる。
また、情報記録部は、データ線と情報出力線との間の導電性の配線パターンが切断されていることにより非導通状態に設定され、データ線と情報出力線との間に導電性の配線パターンが形成されており導通状態に設定されているので、比較的簡単な構造により、表示パネルに関する情報を表示パネル側に記録することができる。【００１２】
また、本発明に係る表示装置の情報処理方法は、複数のデータ線に駆動信号を供給する第１のステップと、複数のデータ線に供給される駆動信号のタイミングと同期して、情報記録部および情報出力線を介して出力される信号のレベルを検出し、当該検出した結果に基づいて情報記録部に記録された情報を特定する第２のステップとを有することを特徴とする。【００１３】
上記表示装置の情報処理方法によれば、複数のデータ線に供給される駆動信号のタイミングに同期して、データ線、および情報記録部を介して情報出力線に出力された信号のレベルを検出し、その検出した結果に基づいて、データ線と情報出力線間の導通状態または非導通状態を判別して、その判別結果により情報記録部に記録された情報を特定するので、簡単に表示装置の情報記録部に記録された情報を読み出すことができる。
また、情報記録部に記録している情報を、例えば１本の情報出力線にてシリアル転送により、簡単にデータを読み出すことができる。また、基板上の比較的小さな領域に比較的大きな情報量の情報を記録することができる。【００１４】
以下、本発明の一実施形態に係る表示装置、および表示装置の情報処理方法を図面を参照しながら説明する。
本発明に係る表示装置として、例えば有機ＥＬ発光パネル、液晶表示パネル、プラズマ発光表示パネル、等を採用することができる。以下、本発明に係る表示装置を採用したパッシブマトリクス駆動型有機ＥＬ発光装置（自発光装置）を説明する。【００１５】
［第１実施形態］
図１は、本発明の第１実施形態に係る表示装置を説明するための回路図である。図２は、図１に示した表示装置の全体図である。図３は、図２に示した表示装置の表示領域２１０および情報記録部２４付近の領域ＲＢの拡大図である。図４は、図２に示した表示装置の表示領域および引出配線部１２１付近のＸ−Ｘ線断面図である。図５は、図２に示した表示装置の表示領域および情報記録部２４付近の領域ＲＢのＹ−Ｙ線断面図である。詳細には、図５（Ａ）は、導通状態の情報記録部２４１を説明するための断面図であり、図５（Ｂ）は、非導通状態の情報記録部２４１を説明するための断面図である。【００１６】
本実施形態に係る表示装置１は、支持基板（基板）１０、表示領域２１０、陽極ドライバ回路２２、走査線ドライバ回路２３、情報記録部２４（接続部２４１）、情報読取部５０、制御部６０、および情報出力線Ｂ１を有する。
また、本実施形態に係る表示装置１では、例えばガラスなどの所定の材料により形成された基板１０上に表示領域２１０、情報記録部２４、および情報出力線Ｂ１が形成されている。詳細には、図２に示すように、表示領域２１０の近傍に情報出力線Ｂ１や引出配線部１２１が形成されている。また、図１，２，３に示すように、情報記録部２４が、表示領域２１０に隣接して形成されている引出配線部１２１に対して反対側に形成されており、情報出力線Ｂ１が、情報記録部２４から表示領域２１０の辺に沿って引出配線側まで形成されている。【００１７】
詳細には、表示領域２１０には、複数のデータ線Ａとしての陽極線が縦方向（列方向）、複数の走査線Ｋとしての陰極線が横方向（行方向）に配列されている。詳細には、本実施形態に係る表示領域２１０には、Ｎ本の走査線としての陰極線Ｋ１〜ＫＮが横方向に配列され、Ｍ本のデータ線としての陽極線Ａ１〜ＡＭが縦方向に配列されている。
また、この表示領域２１０には、互いに交差する複数の走査線Ｋと複数のデータ線Ａの交点に発光素子３０が形成されている。つまり、図１〜５に示すように、複数の発光素子３０が表示領域２１０にマトリクス状に形成されている。
また、表示領域２１０には、発光素子３０が、例えば画素数分マトリクス状に形成されていてもよいし、Ｒ（レッド）、Ｇ（グリーン）、Ｂ（ブルー）等の規定の色を発光する発光素子３０がマトリクス状に形成されていてもよい。この際、複数色の発光素子３０が一画素を形成する。【００１８】
各発光素子３０には、例えば図４，５に示すように、第１電極（下部電極）３１と第２電極（上部電極）３２との間に有機発光機能層を含む有機材料層を狭持されている。下部電極３１はデータ線Ａに相当し、上部電極３２は走査線Ｋに相当する。【００１９】
また、本実施形態に係る表示装置１は、図４，５に示すように、基板１０上にシリコンなどの被覆層１２０Ａが形成されており、被覆層１２０Ａ上に形成された下部電極３１がＩＴＯ（Indium Tin Oxide）などの透明電極からなる陽極に設定され、第２電極３２がＡｌ等の金属材料からなる陰極に設定され、基板１０側から光を取り出すボトムエミッション方式を構成している。【００２０】
また、有機材料層３３としては、例えば図４，５に示すように、正孔輸送層３３Ａ、発光層３３Ｂ、および電子輸送層３３Ｃの３層構造を有する。また、図４に示すように、表示装置１は、基板１０と封止部材１１１とを接着層１１２を介して貼り合わせることによって封止領域Ｓが形成され、この封止領域Ｓ内に有機ＥＬ素子３０からなる自発光部を形成している。また、発光素子３０は、この形態に限られるものではなく、例えば、正孔輸送層３３Ａ、電子輸送層３３Ｃのどちらかを省略しても、両方の層を省略してもよい。また、例えば発光素子３０に複数の正孔注入層や、電子注入層などの機能層を用途に応じて形成してもよい。また、発光層３３Ｂを形成する発光材料においては、１重項励起状態から基底状態に遷移する際の発光（蛍光）と、３重項励起状態から基底状態に遷移する際の発光（りん光）のどちらを採用してもよい。【００２１】
また、図４に示すように、複数の発光素子（有機ＥＬ素子）３０が形成された表示領域２１０は、第１電極３１を絶縁層３４で区画しており、区画された第１電極３１の下部側に各発光素子３０による単位表示領域（３０Ｒ，３０Ｇ，３０Ｂ）を形成している。また、封止領域Ｓを形成する封止部材１１１の内面には、例えば乾燥部材４０が備えられており、湿気による発光素子３０の劣化を防止している。【００２２】
また、基板１０の端部に形成される引出領域１０Ａ上には、例えば、第１電極３１と同材料、同工程で形成される第１の電極層１２１Ａが、第１電極３１とは絶縁層３４で絶縁された状態でパターン形成されている。また、第１の電極層１２１Ａの引出配線部分には、例えば銀合金等を含む低抵抗配線部分を形成する第２の電極層１２１Ｂが備えられており、第１の電極層１２１Ａ，第２の電極層１２１Ｂ，保護被膜１２１Ｃを備える引出配線部１２１が形成されている。そして封止領域Ｓ内端部で第２電極３２の端部３２Ａが引出配線部１２１に接続されている。【００２３】
第１電極３１の引出配線は、図示省略しているが、第１電極３１を延出して封止領域Ｓ外に引き出すことによって形成することができる。この引出配線においても、第２電極３２の場合と同様に、Ａｇ合金等を含む低抵抗配線部分を形成する電極層を備えることもできる。【００２４】
引出配線部１２１には、陽極ドライバ回路２２や走査線ドライバ回路２３がフレキシブル配線基板等を介して接続してもよいし、例えば、ＣＯＧ（Chip On Glass）のように、基板１０の引出配線部上にドライバ回路を搭載してもよい。
情報出力線Ｂ１は、例えば、図２に示すように、引出配線部１２１に隣接して形成されていてもよいし、引出配線部１２１と並んで形成されていてもよい。【００２５】
陽極ドライバ回路２２は、例えば制御部６０の制御により、データ線Ａ（陽極：下部電極３１）に駆動信号を印加する。詳細には、陽極ドライバ回路２２は、データ線Ａそれぞれに対応して設けられた駆動電源（Ｉ１〜ＩＭ）、およびデータ線選択スイッチ（ＳＡ１〜ＳＡＭ）を有する。駆動電源（Ｉ１〜ＩＭ）は、例えば所定電位ＶＣＣを基に、制御部６０からの制御信号により定電流を生成して出力する。データ線選択スイッチ（ＳＡ１〜ＳＡＭ）は、データ線Ａ側に形成された可動接点と、基準電位（０ボルト）に接続された固定接点と、駆動電源（Ｉ１〜ＩＭ）の出力側に接続された固定接点とを有し、制御部６０からの制御信号により、２つの固定接点のいずれかと可動接点を電気的に接続する。なお、前記データ線選択スイッチは、例えばトランジスタ等の半導体素子によって構成されている。【００２６】
走査線ドライバ回路２３は、制御部６０からの制御信号により、走査線Ｋに対して印加する電位を制御する。詳細には、走査線ドライバ回路２３は、走査線Ｋを選択する走査線選択スイッチ（ＳＫ１〜ＳＫＮ）を有する。走査線選択スイッチ（ＳＫ１〜ＳＫＮ）は、走査線側に形成された可動接点と、基準電位（０ボルト）に接続された固定接点と、逆バイアス電位（例えば所定電位ＶＣＣ）に接続された固定接点とを有し、制御部６０からの制御信号により、２つの固定接点のいずれかと可動接点を接続する。なお、走査線選択スイッチもデータ線選択スイッチと同様に、例えばトランジスタ等の半導体素子によって構成されている。【００２７】
情報記録部２４は、図１に示すように、データ線Ａと情報出力線Ｂ１との間に形成され、データ線Ａと情報出力線Ｂ１とを導通状態または非導通状態に設定可能である。この導通状態または非導通状態により、所定の表示装置に関する情報を記録する。
この情報記録部２４には、例えば表示装置（表示パネル）に関する情報、例えば生産ロット情報、発光素子の輝度データ、輝度補正データ等が記録される。また、情報記録部２４は、図１に示すように、接続部２４１、および整流素子３０Ａを有する。【００２８】
接続部２４１は、一端部が情報出力線Ｂ１に接続され、他端部がデータ線Ａに接続されている。本実施形態に係る接続部２４１は、一端部が情報出力線Ｂ１に接続され、他端部が整流素子３０Ａを介してデータ線Ａに接続されている。本実施形態では、接続部２４１の導通状態または非導通状態により、所定の表示装置に関する情報を記録する。情報出力線は、例えばスイッチを介して情報読取部５０に接続されている。また、情報読取部５０とスイッチの間のノードは、プルダウン抵抗を介して基準電位（グランド）に接続されている。【００２９】
整流素子３０Ａは、例えば、情報出力線Ｂ１とデータ線Ａとの間に形成されており、詳細には、接続部２４１とデータ線Ａとの間に形成されている。この整流素子３０Ａは、例えばダイオード特性を有し、情報記録部２４の情報の読み出し時に、情報出力線Ｂ１からデータ線Ａに向かって電流が逆流することを防止する機能を有する。
整流素子３０Ａとして、例えば発光素子３０を採用してもよい。発光素子３０を整流素子３０Ａとして用いることで、例えば新たに整流素子を形成することなく、簡単に本発明に係る整流素子３０Ａを形成することができる。
例えば発光素子３０を整流素子３０Ａとして採用する場合、整流素子３０Ａによる発光が表示面に漏れないように、整流素子３０Ａをマスキングしてもよい。つまり、この整流素子３０Ａは、表示に寄与しない発光素子３０である。【００３０】
また、情報記録部２４は、図５（Ａ）に示すように、データ線Ａと情報出力線Ｂ１との間に設けられた接続部２４１の導電性の配線パターン２４１Ａが形成されていることにより導通状態に設定され、一方、図５（Ｂ）に示すように、データ線Ａと情報出力線Ｂ１との間の導電性の配線パターン２４１Ａが切断されていることにより非導通状態に設定される。【００３１】
例えば、この配線パターン２４１Ａは、例えば上部電極３２を形成する工程時に、同時に形成される。この際、非導通状態は、予め図５（Ａ）に示すように接続部２４１の導電性の配線パターン２４１Ａが形成された状態で、例えば製造工程中のレーザーリペア工程でレーザー照射装置（レーザーリペア装置）６１０を用いてレーザー光を照射することにより、図５（Ｂ）に示すように、各接続部２４１におけるデータ線との電気的接続を切断することにより、非導通状態を形成してもよい。【００３２】
図６は、本発明の他の実施形態に係る表示装置の表示領域２１０および情報記録部２４付近の領域ＲＢの拡大図である。図７は、マスクを用いて非導通状態の情報記録部を形成する工程を説明するための図である。詳細には、図７（Ａ）はマスクを用いた蒸着法により配線パターンおよび発光素子３０を形成する前の状態を説明するための断面図であり、図７（Ｂ）はマスクを用いた蒸着法により配線パターンおよび発光素子３０が形成された状態を説明するための断面図である。【００３３】
図６，７に示すように、例えば、マスク８０を用いて、上部電極３２と配線パターン２４１Ａを同一の導電性材料により蒸着法などの規定の製造方法で形成してもよい。
蒸着法により配線パターンを形成する場合、このマスク８０は、例えば接続部２４１の導通状態の箇所に対応する位置に形成された貫通孔部８１と、接続部２４１の非導通状態の箇所に対応する位置に形成された遮蔽部８２とを有する。このマスク８０を用いて蒸着法により配線パターン２４１Ａを形成することで、本発明に係る情報記録部２４を簡単に形成することができる。
また、マスク８０を用いて配線パターンを形成する場合、例えば図６，７に示すように、非導通状態の接続部２４１のラインに対応する整流素子３０Ａを形成しないようにパターニングしてもよい。このようにすることで確実に非導通状態の接続部２４１を作製することができる。【００３４】
また、情報記録部２４に、表示装置（表示パネル）の種類に対応した情報を記録する場合、詳細には同じ種類のパネルに同じ情報を記録する場合、各接続部２４１が所定の非導通状態または導通状態となるようにマスクを用いてパターニングを行ってもよい。このマスクを用いる製造方法では、例えばレーザー光照射等による接続部２４１を切断する工程が不要となるので、比較的簡単に且つ低コストにて表示パネル側に情報を記録することができる。【００３５】
情報読取部５０は、複数のデータ線Ａに供給される駆動信号のタイミングと同期して、情報記録部２４および情報出力線Ｂ１を介して出力される信号のレベルを検出する。また、情報読取部５０は、情報出力線Ｂ１を介して出力される信号のレベルに基づいて、例えば規定レベル以上のレベルの信号を検出した場合には、駆動信号のタイミングに応じた情報記録部２４の接続部２４１が導通状態であると判別し、規定レベルより小さいレベルの信号を検出した場合には、駆動信号のタイミングに応じた情報記録部２４の接続部２４１が非導通状態であると判別する。【００３６】
例えば、データ線Ａ１に駆動信号を供給し、接続部２４１が導通状態の場合には、規定レベル以上の信号が情報出力線Ｂ１を介して出力され、情報として（１）のデータと判別する。また、データ線Ａ１に駆動信号を供給して、接続部２４１が非導通状態の場合には、規定レベルより小さいレベルの信号が情報出力線Ｂ１を介して出力され、情報として（０）のデータと判別する。
そして情報読取部５０は、順次、データ線Ａ２，Ａ３，・・・，ＡＭについても同様な処理を行うことにより、情報記録部２４に記録された情報を取得する。【００３７】
制御部６０は、例えば、陽極ドライバ回路２２、走査線ドライバ回路２３、および情報読取部５０等の各構成要素を統括的に制御して、本発明に係る機能を実現する。
例えば、制御部６０は、複数のデータ線Ａに駆動信号を供給する。この時、駆動信号を供給するデータ線は駆動電源に接続され、駆動信号が供給されないデータ線は基準電位に接続され、全ての走査線は逆バイアス電位に接続される。次に、複数のデータ線Ａに供給される駆動信号のタイミングと同期して、情報記録部２４および情報出力線Ｂ１を介して出力される信号のレベルを検出し、当該検出した結果に基づいて情報記録部２４に記録された情報を特定する。【００３８】
図８は、図１に示した表示装置の製造方法を説明するためのフローチャートである。
先ず、下部電極３１（陽極：データ線Ａ）の形成工程（ＳＴ１）では、例えば被覆層１２０Ａが形成された基板１０上に、ストライプ状にＩＴＯ等の下部電極３１がパターニングされる。このストライプ状にパターニングされた下部電極３１上に直交する方向に沿って、逆台形状の陰極隔壁を形成する。【００３９】
有機材料層形成工程（ＳＴ２）では、蒸着法などの規定の製造方法により、例えば図４に示すような、正孔輸送層３３Ａ、発光層３３Ｂ、および電子輸送層３３Ｃの３層構造を有する有機材料層３３を形成する。【００４０】
上部電極形成工程（ＳＴ３）では、例えば蒸着法やスパッタリングなどの規定の製造方法により、上部電極３２（走査線Ｋ）を形成する。この工程では、図３，５に示すように、情報記録部２４の接続部２４１の配線パターンが形成される。この配線パターンは予め情報記録部２４に記録する情報に応じたパターンに設定されている。
また、上記工程（ＳＴ２，ＳＴ３）により、情報記録部２４の整流素子３０Ａが形成される。【００４１】
また、情報記録部２４の配線パターンを形成する場合に、図６，７に示すように、マスク８０を用いて、上部電極３２と配線パターン２４Ａを同一の導電性材料により蒸着法などの規定の製造方法で、導通状態および非導通状態の接続部２４１を形成してもよい。【００４２】
また、上部電極形成工程後に表示パネルに関する情報を情報記録部２４に記録する場合や、マスクを用いずに非導通状態の接続部２４１を形成する場合には、例えば、図３，５に示すように、レーザ光の照射などにより接続部２４１の配線パターンを切断して、非導通状態の接続部２４１を形成して情報を記録する（ＳＴ４）。【００４３】
図９は、図１に示した表示装置の情報読取部に記録されている情報を出力する方法を説明するためのフローチャートである。図１０は、図１に示した表示装置の情報記録部に記録されている情報を出力する方法を説明するためのタイミングチャートである。図１０（Ａ）は走査線Ｋ１〜ＫＮの電位を示す図であり、図１０（Ｂ）はデータ線Ａ１の電位を示す図であり、図１０（Ｃ）はデータ線Ａ２の電位を示す図であり、図１０（Ｄ）はデータ線Ａ３の電位を示す図であり、図１０（Ｅ）はデータ線ＡＭの電位を示す図であり、図１０（Ｆ）は情報記録部に記録されている情報を模式的に示す図であり、図１０（Ｇ）は情報出力線Ｂ１の電位を示す図である。【００４４】
また、図１０（Ｆ）は、データ線Ａに対応して設けられた情報記録部２４の接続部２４１の接続状態を示している。詳細には、本実施形態では、データ線Ａ１に対応して設けられた接続部２４１１は導通状態（１）、データ線Ａ２に対応して設けられた接続部２４１２は非導通状態（０）、データ線Ａ３に対応して設けられた接続部２４１３は導通状態（１）、データ線ＡＮに対応して設けられた接続部２４１Ｍは導通状態（１）にそれぞれ設定されている。【００４５】
図９に示すように、ステップＳＴ１１において、制御部６０は、複数のデータ線Ａ１〜ＡＭそれぞれに選択的に駆動信号を供給する。この時、駆動信号を供給するデータ線は駆動電源に接続され、駆動信号が供給されないデータ線は基準電位に接続され、全ての走査線は逆バイアス電位に接続される。
ステップＳＴ１２において、制御部６０は、複数のデータ線Ａ１〜ＡＭに供給される駆動信号のタイミングと同期して、情報記録部２４および情報出力線Ｂ１を介して出力される信号のレベルを検出し、当該検出した結果に基づいて情報記録部２４に記録された情報を特定する。【００４６】
詳細には、図１０（Ａ）に示すように、制御部６０は、走査線選択スイッチ（ＳＫ１〜ＳＫＮ）を制御させる制御信号を走査線ドライバ回路２３に出力し、各走査線Ｋ１〜ＫＮを所定電位ＶＣＣに設定する。また、制御部６０は、データ線選択スイッチ（ＳＡ１〜ＳＡＭ）を制御させる制御信号を、陽極ドライバ回路２２に出力し、各データ線Ａ１〜ＡＭを基準電位（０ボルト）に設定する。この際、制御部６０は、情報読取部５０と情報出力線Ｂ１間に設けられているスイッチＳＢ１を導通状態に設定する。このスイッチＳＢ１は、情報出力時以外では非導通状態に設定されている。【００４７】
制御部６０は、図１０（Ｂ）〜（Ｅ）に示すように、制御信号を陽極ドライバ回路２２に出力して、データ線Ａ１を駆動電源Ｉ１の出力に接続して、所定のレベルの駆動信号を出力させる。駆動電源Ｉ１から出力された駆動信号は、表示領域２１０のデータ線Ａ１を介して情報記録部２４に入力し、情報記録部２４の整流素子３０Ａを介して接続部２４１に入力する。
図１０（Ｆ）に示すように、本実施形態に係る接続部２４１１は導通状態に設定されているので、情報出力線Ｂ１には、信号線図１０（Ｇ）に示すようにハイレベル（Ｖ１）の信号が出力され、情報読取部５０によりその信号のレベルが検出される。情報読取部５０は、データ線Ａ１に供給される駆動信号のタイミングと、情報出力線Ｂ１の信号のレベルに基づいて、情報記録部２４の接続部２４１１が導通状態であると判別する。【００４８】
制御部６０は、図１０（Ｂ）〜（Ｅ）に示すように、制御信号を陽極ドライバ回路２２に出力して、データ線Ａ１を基準電位に接続する。そして、制御部６０は、制御信号を陽極ドライバ回路２２に出力して、データ線Ａ２を駆動電源Ｉ２の出力に接続して、所定のレベルの駆動信号を出力させる。駆動電源Ｉ２から出力された駆動信号は、表示領域２１０のデータ線Ａ２を介して情報記録部２４に入力し、情報記録部２４の整流素子３０Ａを介して接続部２４１２に入力する。
図１０（Ｆ）に示すように、本実施形態に係る接続部２４１２は非導通状態に設定されているので、情報出力線Ｂ２には、信号線図１０（Ｇ）に示すようにローレベル（０ボルト）の信号が出力され、情報読取部５０によりその信号のレベルが検出される。情報読取部５０は、データ線Ａ２に供給される駆動信号のタイミングと、情報出力線Ｂ１の信号のレベルに基づいて、情報記録部２４の接続部２４１２が非導通状態であると判別する。【００４９】
また、制御部６０は、図１０（Ａ）〜（Ｇ）に示すように、他のデータ線Ａ３〜ＡＮについても同様な処理を行う。
情報読取部５０では、上述したように複数のデータ線Ａ１〜ＡＭに選択的に供給される駆動信号のタイミングと同期して、情報記録部２４および情報出力線Ｂ１を介して出力される信号のレベルを検出し、当該検出した結果に基づいて情報記録部２４に記録された情報を特定する。例えば、情報記録部２４の接続部２４１１〜２４１Ｍの導通状態をハイレベル（１）、非導通状態をローレベル（０）とすることで、０又は１の２進数で表現された表示パネルに関する情報、例えば発光色毎の輝度データ、輝度補正値、生産ロット情報等の情報を特定することができる。【００５０】
［第２実施形態］
図１１は、本発明の第２実施形態に係る表示装置１Ａを説明するための回路図である。
本実施形態に係る表示装置１Ａは、情報記録部２４の各接続部２４１１〜２４１Ｍに接続された複数の情報出力線Ｂ１〜ＢＭを有する。
上記構成の表示装置１Ａでは、例えば制御部６０が、データ線Ａ１〜ＡＭに同時にハイレベルの駆動信号を入力すると、情報記録部２４に記録された情報に対応して設定された導通状態または非導通状態に応じたレベルの信号が、情報出力線Ｂ１〜ＢＭに出力される。情報読取部５０では、情報出力線Ｂ１〜ＢＭの信号のレベルを検出して情報を特定することができる。
つまり、本実施形態に係る表示装置１Ａは、第１実施形態と比べて短時間に情報記録部２４に記録された情報を出力することができる。同一の機能や構成については説明を省略する。【００５１】
［第３実施形態］
図１２は、本発明の第３実施形態に係る表示装置１Ｂを説明するための回路図である。図１３は、本発明の第３実施形態に係る表示装置１Ｂの表示領域２１０および情報記録部２４付近の領域ＲＢの拡大図である。同一の機能や構成については説明を省略する。
第１実施形態に係る表示装置１では、一つの情報出力線Ｂ１で最大でデータ線Ａの本数Ｍに対応するビット数Ｍの情報を記憶することができるが、この形態に限られるものではない。
例えば、複数の情報出力線を設け、情報出力線とデータ線Ａの交点に対応するように、接続部２４１および整流素子３０Ａを備える情報記録部２４を表示装置に形成してもよい。
詳細には、例えば図１２，１３に示すように、表示装置１Ｂは、複数の情報出力線Ｂ１〜Ｂ３を有し、情報出力線Ｂ１〜Ｂ３とデータ線Ａ１〜ＡＭの交点に対応するように、接続部２４１および整流素子３０Ａを備える情報記録部２４が形成されている。【００５２】
つまり、上記構成の表示装置１Ｂの情報記録部２４では、データ線Ａの本数ＭＡと、信号出力線ＢのＢＡの数に対応して、最大でＭＡ×ＢＡのビット数の情報を記録することができる。【００５３】
本発明は、上述した実施形態に限られるものではない。本発明の技術的範囲に属するように種々の形態で実施することができる。
上述した実施形態では、表示装置１の情報記録部２４がデータ線Ａに接続されていたが、この形態に限られるものではない。例えば情報記録部２４は、走査線Ｋに接続されていてもよい。つまり、表示装置は、互いに交差する複数の第１の導電線と複数の第２の導電線の交点に形成された複数の発光素子を備える表示領域と、前記第１または第２の導電線と情報出力線との間に形成され、前記第１または第２の導電線と前記情報出力線とを導通状態または非導通状態に設定可能な情報記録部とを有し、基板上に前記表示領域、前記情報記録部、および前記情報出力線が形成されていてもよい。【００５４】
また、上述した実施形態では、例えばレーザー光により配線パターンを切断したが、この形態に限られるものではない。例えば、規定値以上の過電流を流すことにより配線パターンを切断して、接続部２４１を導通状態から非導通状態に設定してもよい。【００５５】
また、上記実施形態では、情報記録部２４の配線パターンの接続状態により導通状態、非接続状態により非導通状態を設定し、その状態により情報を記録したが、この形態に限られるものではない。例えば、情報記録部２４の接続部２４１に、記録する情報に応じた抵抗値の抵抗を設けてもよい。その情報記録部２４の抵抗の抵抗値を読み取ることにより情報を取得してもよい。【００５６】
また、上述した実施形態では基板上に表示領域２１０と情報記録部２４と信号出力線Ｂが形成されていたが、この形態に限られるものではない。例えば基板上に、各ドライバ回路２２，２３や情報読取部５０等を設けてもよい。【００５７】
また、上述した実施形態では、本発明に係る表示装置として、パッシブマトリクス駆動型の有機ＥＬ発光装置を説明したが、この形態に限られるものではない。例えば、アクティブマトリクス駆動型の有機ＥＬ発光装置に、本発明に係る表示装置を適用してもよい。
また、上述した実施形態では、本発明に係る表示装置として、ボトムエミッションタイプの有機ＥＬ発光装置を説明したが、この形態に限られるものではなく、トップエミッションタイプの有機ＥＬ発光装置に適用してもよい。【００５８】
また、例えば、上述した実施形態では、本発明に係る表示装置を有機ＥＬパネルに適用したが、この形態に限られるものではない。本発明に係る表示装置を、例えば、いわゆる液晶表示パネル、プラズマ発光表示パネル、等の表示装置に適用してもよい。【００５９】
以上、説明したように、本発明に係る表示装置１は、互いに交差する複数の走査線Ｋと複数のデータ線Ａの交点に形成された複数の発光素子３０を備える表示領域２１０と、データ線Ａと情報出力線Ｂ１との間に形成され、データ線Ａと情報出力線Ｂ１とを導通状態または非導通状態に設定可能な情報記録部２４とを有し、基板１０上に表示領域２１０、情報記録部２４、および情報出力線Ｂ１が形成されているので、例えば、基板上にＲＦ−ＩＤ回路等の特別な回路を設けることなく、比較的簡単な構造で、表示装置（表示パネル）に関する情報を表示パネル側に記録し、その記録された情報を出力することができる。【００６０】
また、本発明に係る表示装置１は、情報記録部２４が、データ線Ａと情報出力線Ｂ１との間に設けられた接続部２４１の導電性の配線パターン２４Ａが形成されていることにより導通状態に設定され、一方、データ線Ａと情報出力線Ｂ１との間の導電性の配線パターン２４Ａが切断されていることにより非導通状態に設定されているので、比較的簡単な構造で、表示パネルに関する情報を表示パネル側に記録し、その記録された情報を出力することができる。
また、本発明に係る表示装置１は、上述した構成の情報記録部２４を備えるので、基板１０上の比較的小さな領域に、比較的大きな情報量を記憶することができる。詳細には、複数のダミー配線の接続関係により情報を記録する従来の表示装置と比べて、本発明に係る表示装置１は、上述した構成の情報記録部２４を有するので、記録可能な情報量が比較的大きい。
このため、例えば、表示パネルに関する情報、生産ロット情報、発光素子の輝度データ、輝度補正データ等を、情報記録部２４に記録させておき、例えば発光表示を行う場合に、それらの表示パネルに関する情報に基づいて、発光精度の高い表示を行うことができる。
また、例えば、生産ロット情報を情報記録部２４に記録させておき、その記録された情報を読み取り収集することで、表示パネルの製品の管理を簡単に高精度に行うことができる。【００６１】
また、情報記録部２４が、上述したように配線パターンの導通状態または非導通状態により情報を記録するという簡単な構成なので、比較的低い製造コストで本発明に係る表示装置を作製することができる。【００６２】
また、情報記録部は、情報出力線Ｂ１とデータ線Ａとの間に整流素子３０Ａを備えるので、例えば情報記録部２４に記録された情報を出力する際に信号の逆流を防止することができる。詳細には、整流素子３０Ａは、ダイオード特性を有し、情報記録部２４の情報の読み出し時に、情報出力線Ｂ１からデータ線Ａに向かって電流が逆流することを防止する機能を有する。【００６３】
また、上述した実施形態では、表示に寄与しない発光素子３０を、整流素子３０Ａとして利用しているので、新たに整流素子を形成する工程を省略することができ、比較的低い製造コストにて本発明に係る表示装置を作製することができる。【００６４】
また、図６に示すような表示装置１は、例えば整流素子３０Ａが、導通状態に設定されている接続部２４１に対応するデータ線Ａと情報出力線Ｂ１との間にのみ形成され、非導通状態に設定されている接続部２４１に対応するデータ線Ａと情報出力線Ｂ１との間には形成されていない構造を有するので、簡単な構造で、確実に非導通状態および導通状態を形成することができる。【００６５】
また、複数のデータ線Ａに駆動信号を供給する駆動電源ＩＭを備える陽極ドライバ回路２２と、複数のデータ線Ａに供給される駆動信号のタイミングと同期して、情報記録部２４および情報出力線Ｂ１を介して出力される信号のレベルを検出する情報読取部５０を有するので、情報読取部５０が、情報記録部２４に記録されている情報を確実に特定することができる（読み取ることができる）。【００６６】
詳細には、表示装置１の情報処理方法は、陽極ドライバ回路２２が、制御部６０の制御により、複数のデータ線Ａに駆動信号を供給する第１のステップと、情報読取部５０が、制御部６０の制御により、複数のデータ線Ａに供給される駆動信号のタイミングと同期して、情報記録部２４および情報出力線Ｂ１を介して出力される信号のレベルを検出し、当該検出した結果に基づいて情報記録部２４に記録された情報を特定する第２のステップとを有するので、情報記録部２４に記録されている情報を確実に特定することができる（読み取ることができる）。
また、表示装置１は、ドライバ回路２２により出力される駆動信号が表示パネルのデータ線Ａを介して情報記録部２４に記録されている情報を出力する構成であるので、例えば別途、特別な読み出し回路を設けることなく、簡単に情報記録部２４に記録されている情報を表示パネルの外部に出力することができる。
【図１】
2009019776.tif 000003
【図２】
2009019776.tif 000004
【図３】
2009019776.tif 000005
【図４】
2009019776.tif 000006
【図５】
2009019776.tif 000007
【図６】
2009019776.tif 000008
【図７】
2009019776.tif 000009
【図８】
2009019776.tif 000010
【図９】
2009019776.tif 000011
【図１０】
2009019776.tif 000012
【図１１】
2009019776.tif 000013
【図１２】
2009019776.tif 000014
【図１３】
2009019776.tif 000015
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
互いに交差する複数の走査線と複数のデータ線の交点に形成された複数の発光素子を備える表示領域と、
前記データ線と情報出力線との間に形成され、前記データ線と前記情報出力線とを導通状態または非導通状態に設定可能な情報記録部とを有し、
前記情報記録部では、前記データ線と前記情報出力線との間に設けられた導電性の配線パターンが形成されていることにより前記導通状態に設定され、前記導電性の配線パターンが切断されていることにより前記非導通状態に設定され、
基板上に前記表示領域、前記情報記録部、および前記情報出力線が形成されていることを特徴とする表示装置。
【請求項２】
前記情報記録部は、前記情報出力線と前記データ線との間に整流素子が備えられていることを特徴とする請求項１に記載の表示装置。
【請求項３】
前記整流素子は、表示に寄与しない発光素子であることを特徴とする請求項２に記載の表示装置。
【請求項４】
前記整流素子は、前記導通状態に設定されている前記データ線と前記情報出力線との間にのみ形成されていることを特徴とする請求項２または請求項３に記載の表示装置。
【請求項５】
複数の前記データ線に駆動信号を供給する駆動電源を備えるドライバ回路と、
複数の前記データ線に供給される前記駆動信号のタイミングと同期して、前記情報記録部および前記情報出力線を介して出力される信号のレベルを検出する情報読取部と
を有することを特徴とする請求項１に記載の表示装置。
【請求項６】
表示装置の情報処理方法であって、
前記表示装置は、互いに交差する複数の走査線と複数のデータ線の交点に形成された複数の発光素子を備える表示領域と、
前記データ線と情報出力線との間に形成され、前記データ線と前記情報出力線とを導通状態または非導通状態に設定可能な情報記録部とを有し、
基板上に前記表示領域、前記情報記録部、および前記情報出力線が形成されており、
複数の前記データ線に駆動信号を供給する第１のステップと、
複数の前記データ線に供給される前記駆動信号のタイミングと同期して、前記情報記録部および前記情報出力線を介して出力される信号のレベルを検出し、当該検出した結果に基づいて前記情報記録部に記録された前記導通状態または前記非導通状態の設定に基づく２進数で表現された情報を特定する第２のステップと
を有することを特徴とする表示装置の情報処理方法。
【手続補正２】
【補正対象書類名】明細書
【補正対象項目名】０００７
【補正方法】変更
【補正の内容】
【０００７】
このような目的を達成するために、本発明は、以下の各独立請求項に係る構成を少なくとも具備するものである。
互いに交差する複数の走査線と複数のデータ線の交点に形成された複数の発光素子を備える表示領域と、前記データ線と情報出力線との間に形成され、前記データ線と前記情報出力線とを導通状態または非導通状態に設定可能な情報記録部とを有し、前記情報記録部では、前記データ線と前記情報出力線との間に設けられた導電性の配線パターンが形成されていることにより前記導通状態に設定され、前記導電性の配線パターンが切断されていることにより前記非導通状態に設定され、基板上に前記表示領域、前記情報記録部、および前記情報出力線が形成されていることを特徴とする表示装置。
【手続補正３】
【補正対象書類名】明細書
【補正対象項目名】０００８
【補正方法】変更
【補正の内容】
【０００８】
表示装置の情報処理方法であって、前記表示装置は、互いに交差する複数の走査線と複数のデータ線の交点に形成された複数の発光素子を備える表示領域と、前記データ線と情報出力線との間に形成され、前記データ線と前記情報出力線とを導通状態または非導通状態に設定可能な情報記録部とを有し、基板上に前記表示領域、前記情報記録部、および前記情報出力線が形成されており、複数の前記データ線に駆動信号を供給する第１のステップと、複数の前記データ線に供給される前記駆動信号のタイミングと同期して、前記情報記録部および前記情報出力線を介して出力される信号のレベルを検出し、当該検出した結果に基づいて前記情報記録部に記録された前記導通状態または前記非導通状態の設定に基づく２進数で表現された情報を特定する第２のステップとを有することを特徴とする表示装置の情報処理方法。
【国際調査報告】
2009019776.tif 000016
2009019776.tif 000017
2009019776.tif 000018
2009019776.tif 000019
2009019776.tif 000020
2009019776.tif 000021